(57)【要約】  本発明は、ユーザがビデオ選択インターフェースにより選択した少なくとも２つの既有のビデオセグメントを取得し、そのうち、ビデオ選択インターフェースは、ビデオ撮影インターフェースまたは詳細インターフェースから切り換えられて表示するインターフェースであることと、予め設定されたビデオ期間に基づき、少なくとも２つの既有のビデオセグメントを、予め設定されたビデオ期間以下のターゲットビデオに合成することと、を含むビデオ取得方法を開示する。本発明は、ビデオ取得装置、端末および記憶媒体をさらに開示する。
2021513819.tif 000002
【特許請求の範囲】
【請求項１】
ユーザがビデオ選択インターフェースにより選択した少なくとも２つの既有のビデオセグメントを取得し、前記ビデオ選択インターフェースは、ビデオ撮影インターフェースまたは詳細インターフェースから切り換えられて表示するインターフェースであることと、
予め設定されたビデオ期間に基づき、前記少なくとも２つの既有のビデオセグメントを、前記予め設定されたビデオ期間以下のターゲットビデオに合成することと、を含むビデオ取得方法。
【請求項２】
予め設定されたビデオ期間に基づき、前記少なくとも２つの既有のビデオセグメントを、前記予め設定されたビデオ期間以下のターゲットビデオに合成することは、
前記予め設定されたビデオ期間およびビデオ編集モードに基づき、前記少なくとも２つの既有のビデオセグメントを、前記予め設定されたビデオ期間以下のターゲットビデオに合成し、前記ビデオ編集モードは、ビデオ全体編集モードおよびセグメント編集モードのうちの少なくとも１つを含むことを含む、請求項１に記載のビデオ取得方法。
【請求項３】
前記ビデオ編集モードがビデオ全体編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
前記予め設定されたビデオ期間に基づき、前記少なくとも２つの既有のビデオセグメントを、前記予め設定されたビデオ期間以下の連続するビデオに合成することと、
ユーザがビデオ編集インターフェースにおいて前記連続するビデオに対する編集操作を取得し、編集された連続するビデオを前記ターゲットビデオとすることと、を含む、請求項２に記載のビデオ取得方法。
【請求項４】
前記ビデオ編集モードがセグメント編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
ユーザがビデオ編集インターフェースにおいて前記少なくとも２つの既有のビデオセグメントのうちの１つの既有のビデオセグメントに対する毎回の編集操作を取得することと、
前記予め設定されたビデオ期間に基づき、編集された前記少なくとも２つの既有のビデオセグメントを、前記予め設定されたビデオ期間以下のターゲットビデオに合成することと、を含む請求項２に記載のビデオ取得方法。
【請求項５】
前記ビデオ編集インターフェースにおいて、ビデオ編集過程で効果プレビューを行うように構成されるビデオプレビューエリアが配置されている、請求項３または４に記載のビデオ取得方法。
【請求項６】
前記ビデオ編集モードにおける編集装置は、トリミング、放送速度の編集、解像度の編集、放送画面の旋回、ビデオの削除および表示特殊効果の追加のうちの少なくとも１つを含む、請求項２に記載のビデオ取得方法。
【請求項７】
予め設定されたビデオ期間に基づき、前記少なくとも２つの既有のビデオセグメントを、前記予め設定されたビデオ期間以下のターゲットビデオに合成することは、
前記少なくとも２つの既有のビデオセグメントの選択順番に基づき、前記少なくとも２つの既有のビデオセグメントを、前記予め設定されたビデオ期間以下のターゲットビデオに合成することを含む、請求項１に記載のビデオ取得方法。
【請求項８】
ユーザがビデオ選択インターフェースにより選択した少なくとも２つの既有のビデオセグメントを取得することは、
前記ユーザが前記ビデオ選択インターフェースにおいてトリガーしたビデオ多重選択要求に応答し、前記ユーザにより選択された前記少なくとも２つの既有のビデオセグメントを取得することを含む、請求項１に記載のビデオ取得方法。
【請求項９】
ユーザにより選択された各既有のビデオセグメントの期間は、期間閾値以上である、請求項１に記載のビデオ取得方法。
【請求項１０】
編集要求の放棄を検出した結果に応答し、ビデオ編集インターフェースから前記ビデオ選択インターフェースに切り換え、前記ビデオ選択インターフェースは、ユーザの前記少なくとも２つの既有のビデオセグメントに対する選択状態を維持することをさらに含む、請求項２に記載のビデオ取得方法。
【請求項１１】
ユーザがビデオ選択インターフェースにより選択した少なくとも２つの既有のビデオセグメントを取得し、前記ビデオ選択インターフェースは、ビデオ撮影インターフェースまたは詳細インターフェースから切り換えられて表示するインターフェースであるように構成されるビデオセグメント取得モジュールと、
予め設定されたビデオ期間に基づき、前記少なくとも２つの既有のビデオセグメントを、前記予め設定されたビデオ期間以下のターゲットビデオに合成するように構成されるビデオ合成モジュールと、を含むビデオ取得装置。
【請求項１２】
１つまたは複数の処理装置と、
１つまたは複数のプログラムを記憶するように構成される記憶装置と、を含む端末であって、
前記１つまたは複数のプログラムが前記１つまたは複数の処理装置により実行されると、前記１つまたは複数の処理装置は、請求項１〜１０のいずれか一項に記載のビデオ取得方法を実現する、端末。
【請求項１３】
コンピュータプログラムが記憶されたコンピュータ可読記憶媒体であって、
前記コンピュータプログラムは、処理装置により実行されると、請求項１〜１０のいずれか一項に記載のビデオ取得方法を実現する、コンピュータ可読記憶媒体。
【発明の詳細な説明】
【技術分野】
【０００１】
本出願は、２０１８年０９月３０日に中国特許庁へ出願された出願番号２０１８１１１６１９６６．８の中国特許出願に対して優先権の利益を主張するものであり、当該出願の内容のすべてが本発明に援用される。
【０００２】
本発明の実施例は、インターネット技術分野に関し、例えばビデオ取得方法、装置、端末および媒体に関する。
【背景技術】
【０００３】
ネットワーク技術の発展に伴い、ビデオインタラクティブアプリケーションは、人々の日常生活で非常に人気がある。
【０００４】
ビデオインタラクティブアプリケーションを適用するインターネット企業にとって、ユーザのニーズを満たしながら、ユーザへ満足している製品エクスペリエンスを提供することは、企業の競争力を維持するために無視できない重要な要素となっている。幅広いユーザ群体に対して、ビデオインタラクティブアプリケーションは、例えば滑稽さ、ユーモラス、科学、時事、および生活などの様々なビデオリソースをユーザへ提供することをサポートしながら、ユーザがいつでもどこでも異なるスタイルのビデオを撮像することをサポートし、且つ１種または複数種の特殊効果を追加したり、異なるタイプのバックグランドミュージックなどを設定したりすることができる。
【０００５】
しかしながら、関連するビデオインタラクティブソフトウェアの機能は、依然として単一であり、ユーザがパーソナライズのビデオを共有するニーズを満たすことができない。
【発明の概要】
【発明が解決しようとする課題】
【０００６】
本発明の実施例は、ビデオ共有過程で、複数の既有のビデオセグメントに基づいて１つの完全なビデオを合成することを実現するために、ビデオ取得方法、装置、端末および媒体を提供する。
【課題を解決するための手段】
【０００７】
一実施例において、本発明の実施例は、
ユーザがビデオ選択インターフェースにより選択した少なくとも２つの既有のビデオセグメントを取得し、そのうち、前記ビデオ選択インターフェースは、ビデオ撮影インターフェースまたは詳細インターフェースから切り換えられて表示するインターフェースであることと、
予め設定されたビデオ期間に基づき、前記少なくとも２つの既有のビデオセグメントを、前記予め設定されたビデオ期間以下のターゲットビデオに合成することと、を含むビデオ取得方法を提供する。
【０００８】
一実施例において、本発明の実施例は、
ユーザがビデオ選択インターフェースにより選択した少なくとも２つの既有のビデオセグメントを取得し、そのうち、前記ビデオ選択インターフェースは、ビデオ撮影インターフェースまたは詳細インターフェースから切り換えられて表示するインターフェースであるように構成されるビデオセグメント取得モジュールと、
予め設定されたビデオ期間に基づき、前記少なくとも２つの既有のビデオセグメントを、前記予め設定されたビデオ期間以下のターゲットビデオに合成するように構成されるビデオ合成モジュールと、を含むビデオ取得装置をさらに提供する。
【０００９】
一実施例において、本発明の実施例は、
１つまたは複数の処理装置と、
１つまたは複数のプログラムを記憶するように構成される記憶装置とを含む端末であって、
前記１つまたは複数のプログラムが前記１つまたは複数の処理装置により実行されると、前記１つまたは複数の処理装置は、本発明の任意の実施例に記載のビデオ取得方法を実現する、端末をさらに提供する。
【００１０】
一実施例において、本発明の実施例は、コンピュータプログラムが記憶されたコンピュータ可読記憶媒体であって、前記コンピュータプログラムは、装置により実行されると、本発明の任意の実施例に記載のビデオ取得方法を実現する、コンピュータ可読記憶媒体をさらに提供する。
【図面の簡単な説明】
【００１１】
【図１】本発明の実施例に係るビデオ取得方法のフローチャートである。
【図２】本発明の実施例に係るビデオ選択インターフェースの模式図である。
【図３】本発明の実施例に係る他のビデオ取得方法のフローチャートである。
【図４】本発明の実施例に係るビデオプレビューエリアが配置されているビデオ編集インターフェースの模式図である。
【図５】本発明の実施例に係る別のビデオ取得方法のフローチャートである。
【図６】本発明の実施例に係る他のビデオプレビューエリアが配置されているビデオ編集インターフェースの模式図である。
【図７】本発明の実施例に係るビデオ取得装置の構造模式図である。
【図８】本発明の実施例に係る端末のハードウェアの構造模式図である。
【発明を実施するための形態】
【００１２】
以下は、図面および実施例を結び付けて本発明について説明する。ここで記載される具体的な実施例は、本発明を解釈するために過ぎず、本発明を限定するためのものではない。また、説明の便宜上、図面において、全部の構造ではなく、本発明に関連する一部だけが示されている。
【００１３】
以下の少なくとも１つの実施例において、選択可能な特徴および例示が同時に提供され、実施例に記載される少なくとも１つの特徴は、組み合わせによって複数の選択可能な方案を形成することができる。
【００１４】
実施例１
【００１５】
図１は、本発明の実施例に係るビデオ取得方法のフローチャートである。本実施例は、ユーザがビデオを共有する過程で、既有のビデオセグメントに基づいて完全なビデオを合成する場合に適用されてもよい。当該方法は、ビデオ取得装置により実行されてもよく、当該装置は、ソフトウェアおよび／またはハードウェアで実現され、スマートフォン、パソコンおよびタブレット（Ｐｏｒｔａｂｌｅ  Ｄｅｖｉｃｅ、ＰＡＤ）などのネットワーク通信機能を有する任意の端末に配置されてもよい。
【００１６】
図１に示すように、本発明の実施例に係るビデオ取得方法は、Ｓ１１０〜Ｓ１２０を含んでもよい。
【００１７】
Ｓ１１０：ユーザがビデオ選択インターフェースにより選択した少なくとも２つの既有のビデオセグメントを取得し、そのうち、ビデオ選択インターフェースは、ビデオ撮影インターフェースまたは詳細インターフェースから切り換えられて表示するインターフェースである。
【００１８】
ビデオインタラクティブアプリケーションは、ユーザが現場で撮影されたビデオを共有することをサポートするだけでなく、ユーザが既有のビデオセグメントに基づいて合成されたビデオを共有することをサポートすることができる。ユーザは、端末におけるビデオインタラクティブアプリケーションをスタートさせた後、そのビデオ撮影インターフェースまたは詳細インターフェースにおける特定標識、例えばアップロード標識または共有標識などをトリガーすることで、ビデオインタラクティブアプリケーションは、現在のインターフェースからビデオ選択インターフェースに切り換えられ、すなわちビデオ選択インターフェースは、ユーザがビデオ撮影インターフェースまたは詳細インターフェースにおける特定標識をトリガーすることによって表示することができる。そのうち、詳細インターフェースは、ミュージックの詳細インターフェースまたはビデオリソースの詳細インターフェースなどの他の情報の詳細インターフェースであってもよい。ビデオ選択インターフェースは、ユーザによる選択を容易にするために、端末のローカル既有のビデオセグメントを同期に表示することができる。そのうち、ビデオ選択インターフェースは、ミュージックの詳細インターフェースから切り換えられれば、ユーザは、当該ミュージックの詳細ページにおけるオーディオを合成ビデオのバックグランドミュージックとすることができる。
【００１９】
選択過程で、ユーザは、当該ビデオセグメントを選択するか否かを決定するために、ビデオ選択インターフェースにおけるビデオサムネイル位置をタッチしてビデオプレビューをすることができる。一実施例において、ユーザにより選択された既有のビデオセグメントの期間は、期間の閾値以上であり、すなわち、期間の閾値は、ユーザにより選択可能な有効的なビデオセグメントを決定する。例示的には、期間の閾値を３秒とした場合、ユーザにより選択された既有のビデオセグメントＡの期間が２秒であると、提示ボックス（ｔｏａｓｔ）をポップアップし、ユーザにより現在選択されたビデオセグメントＡが無効であり、改めて選択する必要があると提示する。ユーザにより選択可能な既有のビデオセグメントの数は、適当に設定され、例えば最大で１２として設定されてもよいが、本実施例において具体的に限定されない。ユーザにより選択された既有のビデオセグメントの数が予め設定された数に達した場合、ビデオ選択インターフェースにおける他のビデオサムネイルは、白いマスクによりカバーされるとともに、ユーザの選択をサポートしない。
【００２０】
一実施例において、ユーザがビデオ選択インターフェースにより選択した少なくとも２つの既有のビデオセグメントを取得することは、ユーザがビデオ選択インターフェースにおいてトリガーしたビデオ多重選択要求に応答して、前記ユーザにより選択された少なくとも２つの既有のビデオセグメントを取得することを含む。
【００２１】
例示的には、図２は、本実施例に係るビデオ選択インターフェースの模式図である。図２に示すように、ビデオ選択インターフェースにおいて多重選択コントロール２１が配置されてもよく、現在、ユーザが少なくとも２つの既有のビデオセグメントを選択することができることを示す。多重選択コントロールは、インターフェースエッジにおける任意の位置に配置されてもよく、図２において、例示として左下方に配置されている。ユーザが当該多重選択コントロールをクリックすることを検出した場合、ビデオインタラクティブアプリケーションは、ユーザによるビデオ多重選択要求に応答して、ユーザにより選択された既有のビデオセグメントをリアルタイム取得する。一実施例において、図２に時間、電気量などが含まれ、例示的には、時間が昼１２時前（Ａｎｔｅ  Ｍｅｒｉｄｉｅｍ、ＡＭ）である。
【００２２】
Ｓ１２０：予め設定されたビデオ期間に基づき、少なくとも２つの既有のビデオセグメントを、前記予め設定されたビデオ期間以下のターゲットビデオに合成する。
【００２３】
一実施例において、ビデオ合成技術に基づき、ユーザにより自主に設定されたビデオ排列順番またはビデオインタラクティブアプリケーションにより予め設定されたビデオ排列順番に応じて、少なくとも２つの既有のビデオセグメントを、予め設定されたビデオ期間以下の完全なビデオに合成することができる。少なくとも２つの既有のビデオセグメントの合計期間が予め設定されたビデオ期間よりも大きければ、ビデオインタラクティブアプリケーションは、ユーザにより選択されたビデオの起点および終点を取得し、ビデオをトリミングすることによってターゲットビデオを得ることができる。ターゲットビデオを合成した後、ユーザは、適切なビデオフォーマットを選択してターゲットビデオをローカル特定の記憶位置に保存してもよいし、直接的にサービスエンドにアップロードしてビデオを共有してもよい。
【００２４】
そのうち、予め設定されたビデオ期間は、適当に設定されてもよいが（例えば、１５秒）、本実施例において具体的に限定されない。合成されたターゲットビデオの期間を限定することにより、ユーザによりアップロードしたビデオ期間が長すぎることに起因してビデオインタラクティブアプリケーションとサービスエンドとのデータ通信圧力が大きくなり、さらに、ユーザがビデオを共有するエクスペリエンスに影響を及ぼすことを回避することができる。
【００２５】
一実施例において、予め設定されたビデオ期間に基づき、少なくとも２つの既有のビデオセグメントを、予め設定されたビデオ期間以下のターゲットビデオに合成することは、予め設定されたビデオ期間に基づき、前記少なくとも２つの既有のビデオセグメントの選択順番に応じて、少なくとも２つの既有のビデオセグメントを、予め設定されたビデオ期間条件に合致する（即ち、前記予め設定されたビデオ期間以下である）ターゲットビデオに合成する。この場合、ユーザが既有のビデオセグメントを選択するタッチ順番は、ターゲットビデオに含まれるビデオセグメントの排列順番を決定する。続いて、図２に示すように、ユーザは、毎回、１つの既有のビデオセグメントを選択し、対応するビデオサムネイルの左上隅においてユーザが既有のビデオセグメントを選択する記録情報として番号が表示され、ビデオインタラクティブアプリケーションは、ユーザからの選択順番および選択されたビデオセグメント情報を同時に記録する。
【００２６】
一実施例において、予め設定されたビデオ期間に基づき、少なくとも２つの既有のビデオセグメントを、予め設定されたビデオ期間以下のターゲットビデオに合成することは、
予め設定されたビデオ期間およびビデオ編集モードに基づき、少なくとも２つの既有のビデオセグメントを、予め設定されたビデオ期間以下のターゲットビデオに合成し、そのうち、ビデオ編集モードは、ビデオ全体編集モードおよび／またはセグメント編集モードを含むことを含む。
【００２７】
ユーザは、既有のビデオセグメントを編集して合成した後に共有してもよいし、編集せずに直接的に合成した完全なビデオを共有してもよい。ユーザが既有のビデオセグメントを編集する場合、ビデオインタラクティブアプリケーションによりサポートされたビデオ編集モードによれば、ユーザが選択可能な編集モードは、以下の３種を含む。
【００２８】
１）ユーザは、少なくとも２つの既有のビデオセグメントにより初歩的に合成された完全なビデオを全体的に編集し、ターゲットビデオを得る。
【００２９】
２）ユーザは、独立して各既有のビデオセグメントを編集し、ユーザにより編集されたビデオセグメントに基づいてターゲットビデオを合成する。
【００３０】
３）ユーザが初歩的に合成された完全なビデオに対して行った全体的な編集効果、および独立して各既有のビデオセグメントに対して行った編集効果を重畳し、各既有のビデオセグメントの最終の編集効果を得ることで、ターゲットビデオを合成する。
【００３１】
一実施例において、ビデオ編集モードに係る編集操作は、トリミング、放送速度の編集、解像度の編集、放送画面の旋回、ビデオの削除および表示特殊効果の追加のうちの少なくとも１つを含む。ユーザへ複数種のビデオ編集操作を提供することにより、ビデオインタラクティブアプリケーション機能の豊富性を表明するだけでなく、ユーザがビデオを作成し合成する興味を向上させ、ユーザエクスペリエンスを向上させることができる。一実施例において、ビデオ編集過程で、既有のビデオセグメントの元のビデオは、変更せず、変更するものは、端末キャッシュにおいて中間ドキュメントとして記憶されたビデオデータのみである。且つ、ユーザがビデオ全体編集モードおよびセグメント編集モードに基づいてビデオを複数回編集する場合、放送速度の編集および解像度の編集は、始終に元の既有のビデオセグメントを基に行われることで、各既有のビデオセグメントの最終の編集効果を得ることができる。
【００３２】
一実施例において、当該方法は、さらに以下を含む。
【００３３】
編集要求を放棄することを検出した場合、ビデオ編集インターフェースからビデオ選択インターフェースに切り換えられ、そのうち、ビデオ選択インターフェースは、ユーザの少なくとも２つの既有のビデオセグメントに対する選択状態を維持する。ビデオ編集過程で、ユーザは、ビデオ編集インターフェースにおける放棄コントロールをタッチすることにより、現在の編集操作を終了させ、ビデオインタラクティブアプリケーションは、現在のビデオ編集インターフェースからビデオ選択インターフェースに切り換えられる（戻る）。続いて、図２に示すように、ビデオ選択インターフェースに戻った後、ビデオ選択インターフェースは、依然として、ユーザの既有のビデオセグメントに対する選択状態を維持し、すなわち、ユーザは、依然として、直接的に元の既有のビデオセグメントに基づいて完全なビデオを合成して、パーソナライズのビデオの共有を実現することができる。
【００３４】
本発明の実施例は、まず、ユーザがビデオ選択インターフェースにより選択した少なくとも２つの既有のビデオセグメントを取得した後、予め設定されたビデオ期間に基づき、少なくとも２つの既有のビデオセグメントを、予め設定されたビデオ期間に合致するターゲットビデオに合成し、すなわち、端末のローカル既有のビデオセグメントを用いて完全なビデオを合成することにより、関連技術においてビデオインタラクティブアプリケーションの機能が単一であり、ユーザがパーソナライズのビデオを共有するニーズを満たすことができないという問題を解決し、ビデオ共有過程で、複数の既有のビデオセグメントに基づいて１つの完全なビデオを合成することを実現し、ビデオインタラクティブアプリケーションのビデオ共有機能を拡張し豊富にし、ビデオ共有モードが現場で撮影して共有するというモードに限定されない。ユーザは完全、自主に共有待ちの合成ビデオを作成することができるため、ユーザによるパーソナライズのビデオ共有エクスペリエンスを向上させる。また、関連技術において専門的なビデオ編集ソフトウェアによってビデオセグメントを編集する複雑な操作を回避し、ビデオ編集の利便性を向上させることができる。
【００３５】
実施例２
【００３６】
図３は、本発明の実施例に係る他のビデオ取得方法のフローチャートである。以下は、ビデオ編集モードがビデオ全体編集モードであることを例として、ビデオ取得方法について例示的に説明する。
【００３７】
図３に示すように、本発明の実施例に係るビデオ取得方法は、Ｓ２１０〜Ｓ２３０を含んでもよい。
【００３８】
Ｓ２１０：ユーザがビデオ選択インターフェースにより選択した少なくとも２つの既有のビデオセグメントを取得し、そのうち、ビデオ選択インターフェースは、ビデオ撮影インターフェースまたは詳細インターフェースから切り換えられて表示するインターフェースである。
【００３９】
Ｓ２２０：予め設定されたビデオ期間に基づき、少なくとも２つの既有のビデオセグメントを、予め設定されたビデオ期間以下の連続するビデオに合成する。
【００４０】
ビデオ全体編集モードとは、ターゲットビデオを合成する過程で、複数の既有のビデオセグメントに基づいて初歩的に合成されたビデオを編集対象として編集することを指す。そのため、本実施例において、ユーザにより選択された既有のビデオセグメントを取得した後、予め設定されたビデオ期間に基づき、１つの連続するビデオを初歩的に合成する。その際に、当該連続するビデオの期間は、最終のターゲットビデオの期間と同一であってもよいし、異なってもよい。一実施例において、連続するビデオの合成過程で、一定のビデオ排列順番、例えば、既有のビデオセグメントの選択順番に応じて、ビデオ合成技術に基づき、複数の既有のビデオセグメントを、予め設定されたビデオ期間以下の連続するビデオに合成することができる。
【００４１】
Ｓ２３０：ユーザがビデオ編集インターフェースにおいて連続するビデオに対する編集操作を取得し、編集された連続するビデオをターゲットビデオとする。
【００４２】
そのうち、ビデオ編集インターフェースにおいてビデオプレビューエリアが配置されてもよい。前記ビデオプレビューエリアは、ビデオ編集過程で効果プレビューを行うように構成される。例えば、連続するビデオを合成した後、ユーザは、ビデオプレビューエリアにおいてその効果をプレビューすることができる。ユーザが連続するビデオに対する編集操作を検出した場合、編集操作の進行に従って、ユーザは、随時に編集効果をプレビューすることもできる。一実施例において、ユーザが連続するビデオに対する編集操作は、トリミング、放送速度の編集、解像度の編集、放送画面の旋回、ビデオの削除および表示特殊効果の追加のうちの少なくとも１つを含む。
【００４３】
トリミングによって連続するビデオの期間を調整して期間要求に合致するターゲットビデオを得ることができる。放送速度の編集によって連続するビデオの放送速度を調整して快速に放送させるか或いは低速に放送させることができる。解像度の編集によって連続するビデオの放送画面の解像度を変更することができる。ビデオの削除によってビデオ編集インターフェースから現在の連続するビデオに含まれる複数の既有のビデオセグメントを削除することができ、その際に、残りの既有のビデオセグメントを用いて改めて新たな連続するビデオを合成することができる。放送画面の旋回によってビデオの放送モードを変更し、例えば、横長放送から縦長放送に調整することができる。表示特殊効果、例えば１種または複数種のフィルターの追加によって、連続するビデオの画面展示効果を向上させることができる。
【００４４】
例示的には、ビデオトリミングルールは、以下を含んでもよい。合成された連続する合計期間が予め設定されたターゲットビデオの期間以下である場合、ユーザのニーズに応じてトリミングするか否かを確定することができるが、この際の連続するビデオは、トリミングエリア全体に亘って充填される。連続するビデオの合計期間が予め設定されたターゲットビデオの期間よりも大きい場合、予め設定されたターゲットビデオの期間と等しいビデオ期間をトリミングするか、或いはユーザからの設定期間に基づいてトリミングすることができる。また、トリミングしたビデオ期間がターゲットビデオ期間の最大値または最小値に達する場合、ユーザトリミング操作のミスを回避するために、例えば振動などの提示操作を設定することができる。トリミングが終了した後、ビデオに対してプレビュー放送を行うことができる。
【００４５】
図４は、例示として、本実施例におけるビデオプレビューエリアが配置されているビデオ編集インターフェースの模式図を示す。図４に示すように、ビデオ編集インターフェースは、ビデオ選択インターフェースから直接的に切り換えられて移行することができる。当該ビデオ編集インターフェースは、ビデオプレビューエリア４１、ビデオトリミングエリア４２およびビデオセグメントエリア４３を含む。そのうち、ビデオプレビューエリア４１は、ビデオ編集過程で連続するビデオをプレビューするように構成される。ビデオトリミングエリア４２の左右両側におけるハンドルは、プレビューした連続するビデオ期間を調整することを実現するために、ユーザによるドラッグに従って移動することができる。ビデオトリミングエリア４２内のポインタは、ビデオの放送をプレビューすることに従って移動する。ビデオセグメントエリア４３は、ユーザにより選択された少なくとも２つの既有のビデオセグメントを提示し、当該エリアにおいて左右にスライドすることにより、ユーザにより選択されたすべてのビデオセグメントを確認することができる。ビデオ編集インターフェースのエッジ位置、またはビデオプレビューエリア４１とビデオトリミングエリア４２との間のキャップは、いずれも、例えば、トリミングコントロール、放送速度の編集コントロール、解像度の編集コントロールなどの編集コントロールを配置するために用いられる。
【００４６】
ビデオインタラクティブアプリケーションは、ユーザの編集操作が終了することを検出した後、編集された連続するビデオをターゲットビデオとし、ユーザは、ビデオプレビューエリアにおいて効果プレビューを行うことができる。ユーザがビデオ編集インターフェースにおいてトリガーした編集確定要求を検出した後、すなわち、ユーザがすべての編集効果を保留すれば、ターゲットビデオをビデオフォーマットで端末の特定の記憶位置に保存する。それと同時に、ユーザからのビデオ共有要求を検出した場合、ターゲットビデオをサービスエンドに共有する。
【００４７】
本発明の実施例は、まず、ユーザがビデオ選択インターフェースにより選択した少なくとも２つの既有のビデオセグメントを取得した後、予め設定されたビデオ期間に基づき、少なくとも２つの既有のビデオセグメントを、予め設定されたビデオ期間以下のターゲットビデオに合成し、最後に、ユーザがビデオ編集インターフェースにおいて連続するビデオに対する編集操作を取得するとともに、ユーザが編集した連続するビデオをターゲットビデオとすることで、関連技術においてビデオインタラクティブアプリケーションの機能が単一であり、ユーザがパーソナライズのビデオを共有するニーズを満たすことができないという問題を解決し、ビデオ共有過程で、複数の既有のビデオセグメントに基づいて１つの完全なビデオを合成することを実現し、ビデオインタラクティブアプリケーションのビデオ共有機能およびビデオ編集機能を拡張し豊富にし、ビデオ共有モードが現場で撮影して共有するというモードに限定されない。ユーザは完全、自主に共有待ちの合成ビデオを作成することができるため、ユーザによるパーソナライズのビデオ共有エクスペリエンスを向上させる。
【００４８】
実施例３
【００４９】
図５は、本発明の実施例に係る別のビデオ取得方法のフローチャートである。以下は、ビデオ編集モードがセグメント編集モードであることを例として、ビデオ取得方法について例示的に説明する。
【００５０】
図５に示すように、本発明の実施例に係るビデオ取得方法は、Ｓ３１０〜Ｓ３３０を含んでもよい。
【００５１】
Ｓ３１０：ユーザがビデオ選択インターフェースにより選択した少なくとも２つの既有のビデオセグメントを取得し、そのうち、ビデオ選択インターフェースは、ビデオ撮影インターフェースまたは詳細インターフェースから切り換えられて表示するインターフェースである。
【００５２】
Ｓ３２０：ユーザがビデオ編集インターフェースにおいて少なくとも２つの既有のビデオセグメントのうちの１つの既有のビデオセグメントに対する毎回の編集操作を取得する。
【００５３】
本実施例において、セグメント編集モードとは、ターゲットビデオセグメントを合成する過程で、単一の既有のビデオセグメントを編集対象として編集することを指す。一実施例において、ユーザの編集操作の回数は、取得した既有のビデオセグメントの数以下である。一実施例において、ユーザが各既有のビデオセグメントに対する編集操作は、トリミング、放送速度の編集、解像度の編集、放送画面の旋回、ビデオの削除および表示特殊効果の追加のうちの少なくとも１つを含む。そのうち、トリミングによって既有のビデオセグメントの期間を調整し、ユーザの興味があるビデオセグメントを得ることができる。放送速度の編集によってビデオセグメントの放送速度を調整して快速に放送させるか或いは低速に放送させることができる。解像度の編集によって連続するビデオの放送画面の解像度を変更し、最終に解像度が統一の複数の既有のビデオセグメントを得、合成したターゲットビデオの画面展示効果を確保することができる。ビデオの削除によって、ユーザにより選択された複数の既有のビデオセグメントからある既有のビデオセグメントを完全に除去することができ、現在のビデオ編集インターフェースから改めてビデオ選択インターフェースに戻る必要がない。表示特殊効果、例えば１種または複数種のフィルターの追加によって、ビデオの画面展示効果を向上させることができる。
【００５４】
ビデオ編集インターフェースにおいてビデオプレビューエリアが配置されてもよい。当該ビデオプレビューエリアは、ユーザが単一の既有のビデオセグメントの編集効果をプレビューするように構成される。図６は、例示として、本実施例における他のビデオプレビューエリアが配置されているビデオ編集インターフェースの模式図を示す。図６に示すように、ビデオ編集インターフェースは、ビデオプレビューエリア６１、ビデオトリミングエリア６２およびビデオセグメントエリア６３を含む。そのうち、ビデオプレビューエリア６１は、ビデオ編集過程で現在のビデオセグメントの効果をプレビューするように構成される。ビデオトリミングエリア６２の左右両側におけるハンドルは、現在プレビューしているビデオセグメントの期間を調整することを実現するために、ユーザによりドラッグに従って移動することができる。ビデオトリミングエリア６２内のポインタは、ビデオの放送をプレビューすることに従って移動する。ビデオセグメントエリア６３は、ユーザが現在編集しているビデオセグメントを展示する。ビデオ編集インターフェースのエッジ位置、またはビデオプレビューエリア６１とビデオトリミングエリア６２との間のキャップは、いずれも、例えばトリミングコントロール、放送速度の編集コントロール、解像度の編集コントロールなどの編集コントロールを配置するために用いられてもよい。
【００５５】
図６に示す単一の既有のビデオセグメントに対する編集インターフェースは、ビデオ選択インターフェースから直接的に切り換えられてもよいし、図４に示すビデオ編集インターフェースから切り換えられてもよい。例示的には、ユーザは、図４に示すようなビデオ編集インターフェースにおいて、セグメント編集コントロール（図４において図示せず）をタッチすることにより、ビデオインタラクティブアプリケーションは、ユーザからの切り換え要求に応答して、図６に示すような単一の既有のビデオセグメントに対する編集インターフェースに切り換えることができる。
【００５６】
Ｓ３３０：予め設定されたビデオ期間に基づき、ユーザが編集した後の少なくとも２つの既有のビデオセグメントを、予め設定されたビデオ期間以下のターゲットビデオに合成する。
【００５７】
ビデオインタラクティブアプリケーションは、ユーザの編集操作が終了することを検出した後、一定のビデオ排列順番、例えばユーザにより選択された既有のビデオセグメントの選択順番に応じて、編集された複数の既有のビデオセグメントを、予め設定されたビデオ期間以下のターゲットビデオに合成し、ユーザは、ビデオプレビューエリアにおいて効果プレビューを行うことができる。ユーザがビデオ編集インターフェースにおいてトリガーした編集確定要求を検出した後、すなわち、ユーザがすべての編集効果を保留すれば、ターゲットビデオをビデオフォーマットで端末の特定の記憶位置に保存する。それと同時に、ユーザからのビデオ共有要求を検出した場合、ターゲットビデオをサービスエンドに共有する。
【００５８】
一実施例において、編集された既有のビデオセグメントに基づいてターゲットビデオを合成する過程で、ユーザがトリミング編集を行えば、この際のトリミングルールは、まず、ターゲットビデオの先頭画面および最終画面を確定した後、ターゲットビデオの要求期間に基づいてトリミングを行うか、或いは、ターゲットビデオの先頭画面のみを確定し、ターゲットビデオの要求期間を結び付けてトリミングを行うことを含む。トリミングルールは、ユーザがターゲットビデオに対する要求に基づいて決定されてもよい。
【００５９】
本発明の実施例は、まず、ユーザがビデオ選択インターフェースにより選択した少なくとも２つの既有のビデオセグメントを取得した後、ユーザがビデオ編集インターフェースにおいて少なくとも２つの既有のビデオセグメントのうちの１つの既有のビデオセグメントに対する毎回の編集操作を取得し、最後、予め設定されたビデオ期間に基づき、ユーザが編集した後の少なくとも２つの既有のビデオセグメントを、予め設定されたビデオ期間以下のターゲットビデオに合成することで、関連技術においてビデオインタラクティブアプリケーションの機能が単一であり、ユーザがパーソナライズのビデオを共有するニーズを満たすことができないという問題を解決し、ビデオ共有過程で、複数の既有のビデオセグメントに基づいて１つの完全なビデオを合成することを実現し、ビデオインタラクティブアプリケーションのビデオ共有機能およびビデオ編集機能を拡張し豊富にし、ビデオ共有モードが現場で撮影して共有するというモードに限定されない。ユーザは完全、自主に共有待ちの合成ビデオを作成することができるため、ユーザによるパーソナライズのビデオ共有エクスペリエンスを向上させる。
【００６０】
実施例４
【００６１】
図７は、本発明の実施例に係るビデオ取得装置の構造模式図である。本実施例は、ユーザがビデオを共有する過程で、既有のビデオセグメントに基づいて１つの完全なビデオを合成する場合に適用することができる。当該ビデオ取得装置は、ソフトウェアおよび／またはハードウェアで実現され、ネットワーク通信機能を有する任意の端末に配置されてもよい。
【００６２】
図７に示すように、本発明の実施例に係るビデオ取得装置は、
ユーザがビデオ選択インターフェースにより選択した少なくとも２つの既有のビデオセグメントを取得し、そのうち、ビデオ選択インターフェースは、ビデオ撮影インターフェースまたは詳細インターフェースから切り換えられて表示するインターフェースであるように構成されるビデオセグメント取得モジュール７０１と、
予め設定されたビデオ期間に基づき、少なくとも２つの既有のビデオセグメントを、前記予め設定されたビデオ期間以下のターゲットビデオに合成するように構成される、ビデオ合成モジュール７０２と、を含む。
【００６３】
一実施例において、ビデオ合成モジュール７０２は、
予め設定されたビデオ期間およびビデオ編集モードに基づき、少なくとも２つの既有のビデオセグメントを、予め設定されたビデオ期間以下のターゲットビデオに合成し、そのうち、ビデオ編集モードは、ビデオ全体編集モードおよび／またはセグメント編集モードを含むように構成される。
【００６４】
一実施例において、ビデオ編集モードがビデオ全体編集モードであれば、ビデオ合成モジュール７０２は、
予め設定されたビデオ期間に基づき、少なくとも２つの既有のビデオセグメントを、ビデオ期間以下の連続するビデオに合成するように構成される連続ビデオ合成ユニットと、
ユーザがビデオ編集インターフェースにおいて連続するビデオに対する編集操作を取得し、編集された連続するビデオをターゲットビデオとするように構成されるターゲットビデオ確定ユニットと、を含む。
【００６５】
一実施例において、ビデオ編集モードがセグメント編集モードであれば、ビデオ合成モジュール７０２は、
ユーザがビデオ編集インターフェースにおいて少なくとも２つの既有のビデオセグメントのうちの１つの既有のビデオセグメントに対する毎回の編集操作を取得するように構成される編集操作取得ユニットと、
予め設定されたビデオ期間に基づき、編集された少なくとも２つの既有のビデオセグメントを、予め設定されたビデオ期間以下のターゲットビデオに合成するターゲットビデオ合成ユニットと、を含む。
【００６６】
一実施例において、ビデオ編集インターフェースにおいてビデオ編集過程で効果プレビューを行うように構成されるビデオプレビューエリアが配置されている。
【００６７】
一実施例において、ビデオ編集モードにおける編集操作は、トリミング、放送速度の編集、解像度の編集、放送画面の旋回、ビデオの削除および表示特殊効果の追加のうちの少なくとも１つを含む。
【００６８】
一実施例において、ビデオ合成モジュール７０２は、
前記少なくとも２つの既有のビデオセグメントの選択順番に応じて、少なくとも２つの既有のビデオセグメントを、予め設定されたビデオ期間以下のターゲットビデオに合成するように構成される。
【００６９】
一実施例において、ビデオセグメント取得モジュール７０１は、
ユーザがビデオ選択インターフェースにおいてトリガーしたビデオ多重選択要求に応答し、前記ユーザにより選択された少なくとも２つの既有のビデオセグメントを取得するように構成される。
【００７０】
一実施例において、ユーザにより選択された各既有のビデオセグメントの期間は、期間閾値以上である。
【００７１】
一実施例において、当該装置は、
編集要求を放棄することを検出した場合、ビデオ編集インターフェースからビデオ選択インターフェースに切り換えられ、そのうち、ビデオ選択インターフェースは、ユーザの少なくとも２つの既有のビデオセグメントに対する選択状態を維持するように構成されるインターフェース切り換えモジュールをさらに含む。
【００７２】
上記ビデオ取得装置は、本発明の任意の実施例に係るビデオ取得方法を実行することができ、実行方法に対応する機能モジュールおよび効果を備える。
【００７３】
実施例５
【００７４】
図８は、本発明の実施例に係る端末のハードウェアの構造模式図である。以下は、図８を参照し、本発明の実施例を実現するための端末８００の構造模式図が示されている。本発明の実施例における端末は、携帯電話、ノートブック、デジタル放送受信機、携帯端末（Ｐｅｒｓｏｎａｌ  Ｄｉｇｉｔａｌ  Ａｓｓｉｓｔａｎｔ、ＰＤＡ）、タブレット（Ｐｏｒｔａｂｌｅ  Ａｎｄｒｏｉｄ  Ｄｅｖｉｃｅ、ＰＡＤ）、携帯式マルチメディアプレーヤー（Ｐｏｒｔａｂｌｅ  Ｍｅｄｉａ  Ｐｌａｙｅｒ、ＰＭＰ）、車載端末（例えば、車載ナビゲーション端末）などの移動端末、およびデジタルテレビ（Ｔｅｌｅｖｉｓｉｏｎ、ＴＶ）、デスクトップコンピューターなどの固定端末を含んでもよいが、それに限定されない。図８に示す端末は、例示的なものに過ぎず、本発明の実施例の機能および使用範囲を限定するものではない。
【００７５】
図８に示すように、端末８００は、１つまたは複数の処理装置（例えば、中央プロセッサ、図形プロセッサなど）８０１、および１つまたは複数のプログラムを記憶するように構成される記憶装置８０８を含む。そのうち、処理装置８０１は、読み取り専用メモリー（Ｒｅａｄ−Ｏｎｌｙ  Ｍｅｍｏｒｙ、ＲＯＭ）８０２に記憶されたプログラム、または記憶装置８０８からランダムアクセスメモリー（Ｒａｎｄｏｍ  Ａｃｃｅｓｓ  Ｍｅｍｏｒｙ、ＲＡＭ）８０３にローディングされたプログラムに基づき、１種または複数種の適切な動作および処理を実行することができる。ＲＡＭ８０３において、端末８００の操作に必要となる１種または複数種のプログラムおよびデータがさらに記憶されている。処理装置８０１、ＲＯＭ８０２およびＲＡＭ８０３は、バス８０４によって互いに接続される。入力／出力（Ｉｎｐｕｔ／Ｏｕｔｐｕｔ、Ｉ／Ｏ）ポート８０５もバス８０４に接続される。
【００７６】
一般的には、タッチスクリーン、タッチパネル、キーボード、マウス、カメラ、マイク、加速度計、ジャイロスコープなどを含む入力装置８０６、液晶ディスプレー（Ｌｉｑｕｉｄ  Ｃｒｙｓｔａｌ  Ｄｉｓｐｌａｙ、ＬＣＤ）、スピーカー、バイブレーターなどを含む出力装置８０７、磁気テープ、ハードディスクなどを含む記憶装置８０８、および通信装置８０９は、Ｉ／Ｏポート８０５に接続されてもよい。通信装置８０９は、端末８００が他の機器と無線／有線通信してデータを交換することを許容することができる。図８に各種の装置を有する端末８００が示されているが、示されたすべての装置を実施したり、備えたりすることを要求しないことを理解すべきである。より多いか、またはより少ない装置を代替的に実施したり、備えたりすることができる。
【００７７】
本発明の実施例によれば、フローチャートを参照しながら説明する過程は、コンピュータソフトウェアプログラムとして実現されてもよい。例えば、本発明の実施例は、コンピュータ可読媒体に運ばれたコンピュータプログラムを含むコンピュータプログラム製品を含み、当該コンピュータプログラムはフローチャートに示した方法を実行するためのコードを含む。このような実施例において、当該コンピュータプログラムは、通信装置８０９によってネットワークからダウンロードされ、インストールされるか、或いは、記憶装置８０８からインストールされるか、或いはＲＯＭ８０２からインストールされてもよい。当該コンピュータプログラムは、処理装置８０１により実行されると、本発明の実施例における方法に限定される上記機能を実行する。
【００７８】
一実施例において、本発明におけるコンピュータ可読媒体は、コンピュータ可読信号媒体またはコンピュータ可読記憶媒体または上記両者の任意の組み合わせであってもよい。コンピュータ可読記憶媒体は、例えば、電気、磁気、光、電磁、赤外線、または半導体のシステム、装置やデバイス、または任意の組み合わせであってもよいが、それに限定されない。コンピュータ可読記憶媒体のより具体的な例は、１つまたは複数の導線を有する電気接続、携帯式コンピュータ磁気ディスク、ハードディスク、ＲＡＭ、ＲＯＭ、消去可能・プログラム可能な読み取り専用メモリー（Ｅｒａｓａｂｌｅ  Ｐｒｏｇｒａｍｍａｂｌｅ  Ｒｅａｄ−Ｏｎｌｙ  Ｍｅｍｏｒｙ、ＥＰＲＯＭ）（例えばフラッシュメモリー）、光ファイバ、携帯式コンパクト磁気ディスク読み取り専用メモリー（Ｃｏｍｐａｃｔ  Ｄｉｓｃ  Ｒｅａｄ−Ｏｎｌｙ  Ｍｅｍｏｒｙ、ＣＤ−ＲＯＭ）、光記憶デバイス、磁気記憶デバイス、または上述した任意の適切な組み合わせを含んでもよいが、それに限定されない。本発明において、コンピュータ可読記憶媒体は、いずれかのプログラムを含むか、或いは記憶する有形な媒体であってもよく、当該プログラムは、指令実行システム、装置またはデバイスにより用いられてもよいか、或いはそれらと結び付けて用いられてもよい。本発明において、コンピュータ可読信号媒体は、ベースバンドに含まれるか、或いはキャリアの一部として伝搬されるデータ信号であってもよく、その中にコンピュータ可読なプログラムコードが運ばれている。このような伝搬されるデータ信号は、複数種の形態を用いてもよく、電磁信号、光信号または上述した任意の適切な組み合わせを含んだが、それに限定されない。コンピュータ可読信号媒体は、コンピュータ可読記憶媒体以外のいずれかのコンピュータ可読媒体であってもよい。当該コンピュータ可読信号媒体は、指令実行システム、装置やデバイスにより用いられるか、或いはそれらと結び付けて用いられるプログラムを送信し、伝搬し、伝送することができる。コンピュータ可読媒体に含まれるプログラムコードは、いずれかの適切な媒体により伝送されてもよく、電線、ケーブル、無線周波数（Ｒａｄｉｏ  Ｆｒｅｑｕｅｎｃｙ、ＲＦ）など、または上述したいずれかの適切な組み合わせを含んだが、それに限定されない。
【００７９】
上記コンピュータ可読媒体は、上記端末に含まれるものであってもよいし、独立して存在し、当該端末にインストールされていないものであってもよい。
【００８０】
上記コンピュータ可読媒体に１つまたは複数のプログラムが運ばれている。上記１つまたは複数のプログラムが当該端末により実行されると、当該端末は、例えば、ユーザがビデオ選択インターフェースにより選択した少なくとも２つの既有のビデオセグメントを取得し、そのうち、前記ビデオ選択インターフェースは、ビデオ撮影インターフェースまたは詳細インターフェースから切り換えられて表示するインターフェースであること、前記少なくとも２つの既有のビデオセグメントを、予め設定されたビデオ期間以下のターゲットビデオに合成することなどの本発明の任意の実施例に記載の方法を実行する。
【００８１】
１種または複数種のプログラム設計言語またはその組み合わせで、本発明における操作を実行するためのコンピュータプログラムコードを作成してもよい。上記プログラム設計言語は、Ｊａｖａ、Ｓｍａｌｌｔａｌｋ、Ｃ＋＋などの対象に面するプログラム設計言語を含み、「Ｃ」言語または類似するプログラム設計言語などの通常の過程式プログラム設計言語をさらに含む。プログラムコードは、完全にユーザコンピュータで実行され、一部にユーザコンピュータで実行され、独立するソフトウェアパッケージとして実行され、一部にユーザコンピュータで一部に遠隔コンピュータで実行され、完全に遠隔コンピュータまたはサーバーで実行されてもよい。遠隔コンピュータに関する場合、遠隔コンピュータは、ローカルエリヤネットワーク（Ｌｏｃａｌ  Ａｒｅａ  Ｎｅｔｗｏｒｋ、ＬＡＮ）またはワイドエリアネットワーク（Ｗｉｄｅ  Ａｒｅａ  Ｎｅｔｗｏｒｋ、ＷＡＮ）を含む任意種類のネットワークによってユーザコンピュータに接続され、或いは外部コンピュータに接続されてもよい（例えば、インターネットサービス事業者を用いてインターネットによって接続されてもよい）。
【００８２】
図面におけるフローチャートおよびブロック図は、本発明の１種または複数種の実施例におけるシステム、方法およびコンピュータプログラム製品に応じて実現可能な体系アーキテクチャ、機能および操作を示している。この点から見れば、フローチャートまたはブロック図における各ブロックは、１つのモジュール、プログラムセグメント、またはコードの一部を代表することができる。当該モジュール、プログラムセグメント、またはコードの一部は、１つまたは複数の所定の論理機能を実現するための実行可能指令を含む。一部の代替とする実現において、ブロックに付けられた機能は、図面に付けられた順番と異なる順番で発生することができる。例えば、２つの連続して示したブロックは、実際的に並行に実行されてもよく、それらは、反対する順番で実行される場合がある。それは、関連する機能に基づいて決定される。一実施例において、ブロック図および／またはフローチャートにおける各ブロック、およびブロック図および／またはフローチャートにおけるブロックの組み合わせは、所定の機能または操作を実行する専門的なハードウェアベースシステムで実現されてもよいか、或いは専門的なハードウェアとコンピュータ指令の組み合わせで実現されてもよい。
【００８３】
本発明に係るモジュールまたはユニットは、ソフトウェアで実現されてもよいし、ハードウェアで実現されてもよい。そのうち、モジュールまたはユニットの名称は、ある情況で当該モジュールまたはユニット自身を限定するためのものではない。
【符号の説明】
【００８４】
701  ビデオセグメント取得モジュール
702  ビデオ合成モジュール
801  処理装置
806  入力装置
807  出力装置
808  記憶装置
809  通信装置
【図１】
2021513819.tif 000003
【図２】
2021513819.tif 000004
【図３】
2021513819.tif 000005
【図４】
2021513819.tif 000006
【図５】
2021513819.tif 000007
【図６】
2021513819.tif 000008
【図７】
2021513819.tif 000009
【図８】
2021513819.tif 000010
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
ユーザがビデオ選択インターフェースにより選択した少なくとも２つの既有のビデオセグメントを取得し、前記ビデオ選択インターフェースは、ビデオ撮影インターフェースまたは詳細インターフェースから切り換えられて表示するインターフェースであることと、
予め設定されたビデオ期間に基づき、前記少なくとも２つの既有のビデオセグメントを、前記予め設定されたビデオ期間以下のターゲットビデオに合成することと、を含むビデオ取得方法。
【請求項２】
予め設定されたビデオ期間に基づき、前記少なくとも２つの既有のビデオセグメントを、前記予め設定されたビデオ期間以下のターゲットビデオに合成することは、
前記予め設定されたビデオ期間およびビデオ編集モードに基づき、前記少なくとも２つの既有のビデオセグメントを、前記予め設定されたビデオ期間以下のターゲットビデオに合成し、前記ビデオ編集モードは、ビデオ全体編集モードおよびセグメント編集モードのうちの少なくとも１つを含むことを含む、請求項１に記載のビデオ取得方法。
【請求項３】
前記ビデオ編集モードがビデオ全体編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
前記予め設定されたビデオ期間に基づき、前記少なくとも２つの既有のビデオセグメントを、前記予め設定されたビデオ期間以下の連続するビデオに合成することと、
ユーザがビデオ編集インターフェースにおいて前記連続するビデオに対する編集操作を取得し、編集された連続するビデオを前記ターゲットビデオとすることと、を含む、請求項２に記載のビデオ取得方法。
【請求項４】
前記ビデオ編集モードがセグメント編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
ユーザがビデオ編集インターフェースにおいて前記少なくとも２つの既有のビデオセグメントのうちの１つの既有のビデオセグメントに対する毎回の編集操作を取得することと、
前記予め設定されたビデオ期間に基づき、編集された前記少なくとも２つの既有のビデオセグメントを、前記予め設定されたビデオ期間以下のターゲットビデオに合成することと、を含む請求項２に記載のビデオ取得方法。
【請求項５】
前記ビデオ編集インターフェースにおいて、ビデオ編集過程で効果プレビューを行うように構成されるビデオプレビューエリアが配置されている、請求項３または４に記載のビデオ取得方法。
【請求項６】
前記ビデオ編集モードにおける編集装置は、トリミング、放送速度の編集、解像度の編集、放送画面の旋回、ビデオの削除および表示特殊効果の追加のうちの少なくとも１つを含む、請求項２に記載のビデオ取得方法。
【請求項７】
予め設定されたビデオ期間に基づき、前記少なくとも２つの既有のビデオセグメントを、前記予め設定されたビデオ期間以下のターゲットビデオに合成することは、
前記少なくとも２つの既有のビデオセグメントの選択順番に基づき、前記少なくとも２つの既有のビデオセグメントを、前記予め設定されたビデオ期間以下のターゲットビデオに合成することを含む、請求項１に記載のビデオ取得方法。
【請求項８】
ユーザがビデオ選択インターフェースにより選択した少なくとも２つの既有のビデオセグメントを取得することは、
前記ユーザが前記ビデオ選択インターフェースにおいてトリガーしたビデオ多重選択要求に応答し、前記ユーザにより選択された前記少なくとも２つの既有のビデオセグメントを取得することを含む、請求項１に記載のビデオ取得方法。
【請求項９】
ユーザにより選択された各既有のビデオセグメントの期間は、期間閾値以上である、請求項１に記載のビデオ取得方法。
【請求項１０】
編集要求の放棄を検出した結果に応答し、ビデオ編集インターフェースから前記ビデオ選択インターフェースに切り換え、前記ビデオ選択インターフェースは、ユーザの前記少なくとも２つの既有のビデオセグメントに対する選択状態を維持することをさらに含む、請求項２に記載のビデオ取得方法。
【請求項１１】
ユーザがビデオ選択インターフェースにより選択した少なくとも２つの既有のビデオセグメントを取得し、前記ビデオ選択インターフェースは、ビデオ撮影インターフェースまたは詳細インターフェースから切り換えられて表示するインターフェースであるように構成されるビデオセグメント取得モジュールと、
予め設定されたビデオ期間に基づき、前記少なくとも２つの既有のビデオセグメントを、前記予め設定されたビデオ期間以下のターゲットビデオに合成するように構成されるビデオ合成モジュールと、を含むビデオ取得装置。
【請求項１２】
予め設定されたビデオ期間に基づき、前記少なくとも２つの既有のビデオセグメントを、前記予め設定されたビデオ期間以下のターゲットビデオに合成することは、
前記予め設定されたビデオ期間およびビデオ編集モードに基づき、前記少なくとも２つの既有のビデオセグメントを、前記予め設定されたビデオ期間以下のターゲットビデオに合成し、前記ビデオ編集モードは、ビデオ全体編集モードおよびセグメント編集モードのうちの少なくとも１つを含むことを含む、請求項１１に記載のビデオ取得装置。
【請求項１３】
前記ビデオ編集モードがビデオ全体編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
前記予め設定されたビデオ期間に基づき、前記少なくとも２つの既有のビデオセグメントを、前記予め設定されたビデオ期間以下の連続するビデオに合成することと、
ユーザがビデオ編集インターフェースにおいて前記連続するビデオに対する編集操作を取得し、編集された連続するビデオを前記ターゲットビデオとすることと、を含む、請求項１２に記載のビデオ取得装置。
【請求項１４】
前記ビデオ編集モードがセグメント編集モードであるという結果に応答し、前記予め設定されたビデオ期間およびビデオ編集モードに基づき、前記少なくとも２つの既有のビデオセグメントを、予め設定されたビデオ期間以下のターゲットビデオに合成することは、
ユーザがビデオ編集インターフェースにおいて前記少なくとも２つの既有のビデオセグメントのうちの１つの既有のビデオセグメントに対する毎回の編集操作を取得することと、
前記予め設定されたビデオ期間に基づき、編集された前記少なくとも２つの既有のビデオセグメントを、前記予め設定されたビデオ期間以下のターゲットビデオに合成することと、を含む請求項１２に記載のビデオ取得装置。
【請求項１５】
前記ビデオ編集インターフェースにおいて、ビデオ編集過程で効果プレビューを行うように構成されるビデオプレビューエリアが配置されている、請求項１３または１４に記載のビデオ取得装置。
【請求項１６】
前記ビデオ編集モードにおける編集装置は、トリミング、放送速度の編集、解像度の編集、放送画面の旋回、ビデオの削除および表示特殊効果の追加のうちの少なくとも１つを含む、請求項１２に記載のビデオ取得装置。
【請求項１７】
予め設定されたビデオ期間に基づき、前記少なくとも２つの既有のビデオセグメントを、前記予め設定されたビデオ期間以下のターゲットビデオに合成することは、
前記少なくとも２つの既有のビデオセグメントの選択順番に基づき、前記少なくとも２つの既有のビデオセグメントを、前記予め設定されたビデオ期間以下のターゲットビデオに合成することを含む、請求項１１に記載のビデオ取得装置。
【請求項１８】
ユーザがビデオ選択インターフェースにより選択した少なくとも２つの既有のビデオセグメントを取得することは、
前記ユーザが前記ビデオ選択インターフェースにおいてトリガーしたビデオ多重選択要求に応答し、前記ユーザにより選択された前記少なくとも２つの既有のビデオセグメントを取得することを含む、請求項１１に記載のビデオ取得装置。
【請求項１９】
ユーザにより選択された各既有のビデオセグメントの期間は、期間閾値以上である、請求項１１に記載のビデオ取得装置。
【請求項２０】
１つまたは複数の処理装置と、
１つまたは複数のプログラムを記憶するように構成される記憶装置と、を含む端末であって、
前記１つまたは複数のプログラムが前記１つまたは複数の処理装置により実行されると、前記１つまたは複数の処理装置は、請求項１〜１０のいずれか一項に記載のビデオ取得方法を実現する、端末。
【請求項２１】
コンピュータプログラムが記憶されたコンピュータ可読記憶媒体であって、
前記コンピュータプログラムは、処理装置により実行されると、請求項１〜１０のいずれか一項に記載のビデオ取得方法を実現する、コンピュータ可読記憶媒体。
【請求項２２】
コンピュータプログラムであって、
前記コンピュータプログラムは、処理装置により実行されると、請求項１〜１０のいずれか一項に記載のビデオ取得方法を実現する、コンピュータプログラム。
【国際調査報告】
2021513819.tif 000011
2021513819.tif 000012
2021513819.tif 000013
2021513819.tif 000014
2021513819.tif 000015